(57)【要約】【課題】  液体内容器を収納体から簡単に取り出せるようにして液体内容器の交換による液状内容物の詰め替え作業を容易に行えるようにし、かつ、液体内容器を収納する収納体の小型化を可能にした詰め替え容器を得る。【解決手段】  上面部に吸い出し口４を有する液体内容器５と、液体内容器５を収納する収納体７と、収納体７を閉じる蓋体８と、蓋体８に設けられ、収納体７に収納されている液体内容器５内の液状内容物を吸い込んで外部へ吐出する注出ポンプ９とからなっている詰め替え容器１であって、液体内容器５は、その胴部１９の上部外周に突状段部２０を設け、蓋体８は、収納体７の外周に嵌合する筒壁部１４の内面に、蓋体８による収納体７の閉じ動作時に、液体内容器５の胴部１９の上部外周に設けられている突状段部２０を乗り越え、収納体７からの蓋体８の外し動作時に、突状段部２０の下側に掛止する突部１５を設けた。【選択図】    図１
2018052611.tif 000002
【特許請求の範囲】
【請求項１】
上面部に破断可能なフィルムで封止された吸い出し口を有し、内部に液状内容物を収容し、液状内容物の消尽時に交換される弾性変形可能な素材で形成された液体内容器と、上部に収納口を有し前記液体内容器を収納する収納体と、前記液体内容器を収納した前記収納体の外周に上部から嵌合し、前記収納体を閉じる筒状の蓋体と、前記蓋体に設けられ、前記収納体に収納された前記液体内容器の前記吸い出し口に吸い込み管を突き刺して液状内容物を吸い込み外部へ吐出する注出ポンプとからなり、前記収納体を前記蓋体で閉じたとき、前記注出ポンプの吸い込み管が前記液体内容器の前記吸い出し口に差し込まれるようになっている詰め替え容器であって、
前記液体内容器は、その胴部の上部外周に突状段部が設けられており、また、前記蓋体は、前記収納体の外周に嵌合する筒壁部の内面に、前記蓋体による前記収納体の閉じ動作時に、前記収納体に収納されている前記液体内容器の上部外周に設けられている前記突状段部を乗り越え、前記収納体からの前記蓋体の外し動作時に、前記突状段部の下側に掛止する突部が設けられていることを特徴とする詰め替え容器。
【請求項２】
前記液体内容器における前記胴部の上部外周に設けられた前記突状段部は、前記胴部の上端縁部に設けられていることを特徴とする請求項１に記載の詰め替え容器。
【請求項３】
前記液体内容器における前記胴部の上部外周に設けられた突状段部は、前記胴部の外周面に設けられていることを特徴とする請求項１に記載の詰め替え容器。
【請求項４】
前記収納体は、上部に収納口を有し前記液体内容器を収納する筒状収納容器からなることを特徴とする請求項１乃至３のいずれか１項に記載の詰め替え容器。
【請求項５】
前記筒状収納容器は、収納口から底部側に向かって、前記蓋体の前記筒壁部の内面に設けられた突部の移動を妨げないようにするための切り欠き部が形成されていることを特徴とする請求項４に記載の詰め替え容器。
【請求項６】
前記液体内容器における胴部の外周面に設けられている前記突状段部は、前記液体内容器を前記筒状収納容器に収納した状態で前記筒状収納容器に形成された切り欠き部から露出する位置に設けられていることを特徴とする請求項５に記載の詰め替え容器。
【請求項７】
前記収納体は、支持台部と、前記支持台部の上面に前記液体内容器の胴部外面に沿う複数の支持片を間隔を空けて立設した支持枠部からなり、前記支持枠部の内部に前記液体内容器を収納するようになっていることを特徴とする請求項１乃至３のいずれか１項に記載の詰め替え容器。
【発明の詳細な説明】
【技術分野】
【０００１】
本発明は、化粧品や洗剤などの液状内容物の詰め替えが可能な詰め替え容器に関する。
【背景技術】
【０００２】
従来、化粧品や洗剤などの液状内容物の詰め替えが可能な詰め替え容器として、上部に吸い出し口を有し、内部に液状内容物を収容し、液状内容物の消尽時に交換される液体内容器と、上部に収納口を有し液体内容器を収納する収納体と、液体内容器を収納した収納体を閉じる筒状の蓋体と、蓋体に設けられ、収納体に収納された液体内容器の吸い出し口に吸い込み管を突き刺して液状内容物を吸い込み外部へ吐出する注出ポンプとからなり、収納体を蓋体で閉じたとき、注出ポンプの吸い込み管が液体内容器の吸い出し口に差し込まれるようになっている詰め替え容器がある（例えば、特許文献１、２参照。）。
特許文献１に記載されているような詰め替え容器は、液体内容器内の液状内容物を消尽したら、収納体から蓋体を外し、収納体に収容されている液体内容器から注出ポンプの吸い込み管を抜き取り、収納体から液体内容器を取り出して、新しい液体内容器に交換することにより詰め替えを行っている。
【０００３】
一般に、液状内容物を収容する液体内容器は収納体内に隙間が小さい状態で収納される大きさの形状に形成されているものが多い。そのため、液状内容物を消尽した液体内容器を収納体から取り出す作業が面倒である。
特許文献１に記載されている詰め替え容器では、液体内容器となる容器本体にネック部が形成され、ネック部に口部が設けられた形状となっているので、ネック部を摘まんで液体内容器を収納体から容易に取り出せる。また、特許文献２に記載されている詰め替え容器では、液体内容器のフラットな上面部に口栓が突出するように取り付けられているので、口栓を摘まんで液体内容器を収納体から容易に取り出せる。
【先行技術文献】
【特許文献】
【０００４】
【特許文献１】特開２００３−２５２３３８号公報
【特許文献２】実開平５−８１０５１号公報
【発明の概要】
【発明が解決しようとする課題】
【０００５】
しかしながら、特許文献１に記載されているような詰め替え容器では液体内容器に形成されているネック部を摘まみ、また、特許文献２に記載されているような詰め替え容器では液体内容器のフラットな上面部に取り付けられている口栓を摘まんで引き上げることにより、液体内容器を収納体から容易に取り出せるが、液体内容器に形成されているネック部や液体内容器のフラットな上面部に取り付けられている口栓の存在が液体内容器を収納する収納体内に無駄な空間を形成してしまうことになり、収納体を必要以上に大きくしてしまうといった問題がある。
また、液体内容器に形成されているネック部や液体内容器のフラットな上面部に取り付けられている口栓の存在が液体内容器の製造コストをアップさせるといった問題がある。
【０００６】
本発明の目的は、液体内容器を収納体から簡単に取り出せるようにして液体内容器の交換による液状内容物の詰め替え作業を容易に行えるようにし、かつ、液体内容器を収納する収納体の小型化を可能にした詰め替え容器を提供することにある。
【課題を解決するための手段】
【０００７】
上記の目的を達成するために、請求項１に記載の発明は、上面部に破断可能なフィルムで封止された吸い出し口を有し、内部に液状内容物を収容し、液状内容物の消尽時に交換される弾性変形可能な素材で形成された液体内容器と、上部に収納口を有し前記液体内容器を収納する収納体と、前記液体内容器を収納した前記収納体の外周に上部から嵌合し、前記収納体を閉じる筒状の蓋体と、前記蓋体に設けられ、前記収納体に収納された前記液体内容器の前記吸い出し口に吸い込み管を突き刺して液状内容物を吸い込み外部へ吐出する注出ポンプとからなり、前記収納体を前記蓋体で閉じたとき、前記注出ポンプの吸い込み管が前記液体内容器の前記吸い出し口に差し込まれるようになっている詰め替え容器であって、前記液体内容器は、その胴部の上部外周に突状段部が設けられており、また、前記蓋体は、前記収納体の外周に嵌合する筒壁部の内面に、前記蓋体による前記収納体の閉じ動作時に、前記収納体に収納されている前記液体内容器の上部外周に設けられている前記突状段部を乗り越え、前記収納体からの前記蓋体の外し動作時に、前記突状段部の下側に掛止する突部が設けられていることを特徴としている。
【０００８】
請求項１に記載の発明によれば、前記蓋体による前記収納体の閉じ動作時に、前記蓋体の筒壁部の内面に設けられている前記突部が前記収納体に収納されている前記液体内容器の上部に設けられた前記突状段部を変形させて乗り越えて前記収納体の外周に嵌合し、前記収納体の収納口を閉じる。そして、前記収納体からの前記蓋体の外し動作時に、前記蓋体の筒壁部の内面に設けられている前記突部が前記収納体に収納されている前記液体内容器に設けられた前記突状段部の下側に掛止し、前記液体内容器は前記蓋体と一体となって前記収納体内から取り出される。
【０００９】
請求項２に記載の発明は、請求項１に記載の、前記液体内容器における前記胴部の上部外周に設けられた前記突状段部は、前記胴部の上端縁部に設けられていることを特徴としている。
【００１０】
請求項２に記載の発明によれば、前記収納体からの前記蓋体の外し動作時に、前記蓋体の筒壁部の内面に設けられている前記突部が前記収納体に収納されている前記液体内容器の前記胴部の上端縁に設けられた前記突状段部の下側に掛止し、前記液体内容器は前記蓋体と一体となって前記収納体内から取り出される。
【００１１】
請求項３に記載の発明は、請求項１に記載の、前記液体内容器における前記胴部の上部外周に設けられた突状段部は、前記胴部の外周面に設けられていることを特徴としている。
【００１２】
請求項３に記載の発明によれば、前記収納体からの前記蓋体の外し動作時に、前記蓋体の筒壁部の内面に設けられている前記突部が前記収納体に収納されている前記液体内容器の前記胴部の外周面に設けられた前記突状段部の下側に掛止し、前記液体内容器は前記蓋体と一体となって前記収納体内から取り出される。
【００１３】
請求項４に記載の発明は、請求項１乃至３のいずれか１項に記載の、前記収納体は、上部に収納口を有し前記液体内容器を収納する筒状収納容器からなることを特徴としている。
【００１４】
請求項４に記載の発明によれば、前記液体内容器を前記筒状収納容器内に安定した状態で収納することができる。
【００１５】
請求項５に記載の発明は、請求項４に記載の、前記筒状収納容器は、収納口から底部側に向かって、前記蓋体の前記筒壁部の内面に設けられた突部の移動を妨げないようにするための切り欠き部が形成されていることを特徴としている。
【００１６】
請求項５に記載の発明によれば、前記蓋体による前記収納体となる前記筒状収納容器の閉じ動作時に、前記筒状収納容器の外周に嵌合する前記蓋体の筒壁部に設けられた突部が前記筒状収納容器の収納口から底部側に向かって形成されている前記切り欠き部内を移動することになり、前記蓋体の筒壁部と前記筒状収納容器との隙間を必要最小限度に抑えることができ、全体のコンパクト化が図れる。
【００１７】
請求項６に記載の発明は、請求項５に記載の、前記液体内容器における胴部の外周面に設けられている前記突状段部は、前記液体内容器を前記筒状収納容器に収納した状態で前記筒状収納容器に形成された切り欠き部から露出する位置に設けられていることを特徴としている。
【００１８】
請求項６に記載の発明によれば、前記液体内容器を前記筒状収納容器に収納する際に、前記液体内容器における胴部の外周面に設けられている前記突状段部が前記筒状収納容器の収納口から底部側に向かって形成されている前記切り欠き部内を移動することになり、前記液体内容器と前記筒状収納容器との隙間を必要最小限度に抑えることができ、前記収納体のコンパクト化が図れる。
【００１９】
請求項７に記載の発明は、請求項１乃至３のいずれか１項に記載の、前記収納体は、支持台部と、前記支持台部の上面に前記液体内容器の胴部外面に沿う複数の支持片を間隔を空けて立設した支持枠部からなり、前記支持枠部の内部に前記液体内容器を収納するようになっていることを特徴としている。
【００２０】
請求項７に記載の発明によれば、前記蓋体の筒壁部に設けられている突部を、前記蓋体で前記収納体を閉じたとき前記支持枠部の支持片の間に位置するように設けることにより、前記蓋体による前記収納体の閉じ動作時に、前記収納体の外周に嵌合する前記蓋体の筒壁部に設けられた突部が前記支持片の間を移動することになり、前記蓋体の筒壁部と前記筒状収納容器との隙間を必要最小限度に抑えることができる。
また、前記液体内容器における胴部の外周面に設けられている前記突状段部を、前記液体内容器を前記収納体に収納したとき前記支持枠部の支持片の間に位置するように設けることにより、前記液体内容器を前記収納体に収納する際に、前記液体内容器における胴部の外周面に設けられている前記突状段部が前記支持片の間を移動することになり、前記蓋体の筒壁部と前記筒状収納容器との隙間を必要最小限度に抑えることができるので、全体のコンパクト化が図れる。
【発明の効果】
【００２１】
本発明に係る詰め替え容器によれば、液状内容物を消尽した液体内容器を新しい液体内容器に交換する詰め替え作業で収納体から蓋体を外したとき、収納体に収納されている液体内容器を蓋体と一体となって収納体から取り出すことができるので、液体内容器の交換による液状内容物の詰め替え作業を容易に行うことができる。
また、液体内容器には、上面部に収納体からの取り出しの際の摘まみ部にもなる口栓等の突出部がないので、液体内容器を収納する収納体内に無駄な空間を排除することができ、その分液体内容器を収納する収納体の小型化が可能となる。
また、ネック部や口栓の無い液体内容器を使用するので、液体内容器の製造コストを低減させることができる。
【図面の簡単な説明】
【００２２】
【図１】本発明に係る詰め替え容器の実施の形態の第１例を示す分解断面図である。
【図２】図１に示す詰め替え容器における液体内容器を示す斜視図である。
【図３】図２のＡ−Ａ断面図である。
【図４】図２に示す液体内容器の組み立て加工前のカートンブランクを示す展開図である。
【図５】図２に示す液体内容器の上面部を形成する工程を示す説明図である。
【図６】図２に示す液体内容器の上面部を形成する工程を示す説明図である。
【図７】図１に示す詰め替え容器における収納体へ図２に示す液体内容器を収納する工程を示す断面図である。
【図８】図１に示す詰め替え容器における収納体へ図２に示す液体内容器を収納した状態を示す断面図である。
【図９】図１に示す詰め替え容器における収納体から図２に示す液体内容器を取り出す工程を示す断面図である。
【図１０】図１に示す詰め替え容器における収納体から図２に示す液体内容器を取り出した状態を示す断面図である。
【図１１】本発明に係る詰め替え容器の実施の形態の第２例を示す分解断面図である。
【図１２】図１１に示す詰め替え容器における液体内容器を示す平面図である。
【図１３】図１１に示す詰め替え容器における収納体へ図１２に示す液体内容器を収納する工程を示す断面図である。
【図１４】図１１に示す詰め替え容器における収納体へ図１２に示す液体内容器を収納した状態を示す断面図である。
【図１５】図１１に示す詰め替え容器における収納体から図１２に示す液体内容器の取り出し工程を示す断面図である。
【図１６】図１１に示す詰め替え容器における収納体から図１２に示す液体内容器を取り出した状態を示す断面図である。
【図１７】本発明に係る詰め替え容器の実施の形態の第３例を示す分解断面図である。
【図１８】図１７に示す詰め替え容器における収納体と蓋体を示す一部切り欠き斜視図である。
【図１９】図１７示す詰め替え容器における収納体へ図２に示す液体内容器を収納する工程を示す断面図である。
【図２０】図１７に示す詰め替え容器における収納体へ図２に示す液体内容器を収納した状態を示す断面図である。
【図２１】図１７に示す詰め替え容器における収納体から図２に示す液体内容器を取り出した状態を示す断面図である。
【発明を実施するための形態】
【００２３】
以下、本発明に係る詰め替え容器の実施の形態の一例を図面を参照して詳細に説明する。
図１乃至図１０は本発明に係る詰め替え容器の実施の形態の第１例を示し、図１は、本例の詰め替え容器の分解断面図、図２は図１に示す詰め替え容器における液体内容器を示す斜視図、図３は図２のＡ−Ａ断面図、図４は図２に示す液体内容器の組み立て加工前のカートンブランクを示す展開図、図５は図２に示す液体内容器の上面部を形成する工程を示す説明図、図６は図２に示す液体内容器の上面部を形成する工程を示す説明図、図７は図１に示す詰め替え容器における収納体へ図２に示す液体内容器を収納する工程を示す断面図、図８は図１に示す詰め替え容器における収納体へ図２に示す液体内容器を収納した状態を示す断面図、図９は図１に示す詰め替え容器における収納体から図２に示す液体内容器を取り出す工程を示す断面図、図１０は図１に示す詰め替え容器における収納体から図２に示す液体内容器を取り出した状態を示す断面図である。
【００２４】
本例の詰め替え容器１は、上面部２に破断可能なフィルム３で封止された吸い出し口４を有し、内部に液状内容物を収容し、液状内容物の消尽時に交換される弾性変形可能な素材で形成された液体内容器５と、上部に収納口６を有し前記液体内容器５を収納する収納体７と、前記液体内容器５を収納した前記収納体７の外周に上部から嵌合し、前記収納体７を閉じる筒状の蓋体８と、前記蓋体８に設けられ、収納体７内に収納されている液体内容器５内の液状内容物を吸い込んで外部へ注出する注出ポンプ９とからなる。
【００２５】
先ず、収納体７について説明すると、本例の収納体７は上部に収納口６を開口する筒状収納容器１０となっている。筒状収納容器１０は、液体内容器５の外形に応じた形状に形成されており、本例では、胴部断面形状が略正方形の筒状となっている。
筒状収納容器１０の長さは、筒状収納容器１０内に液体内容器５を収納したとき、筒状収納容器１０の収納口６の端面が液体内容器５の上面部２と同一面或いは液体内容器５の上面部２を僅かに超える長さとなっている。本例では、液体内容器５の上面部２を僅かに越える長さに形成されている。
また、筒状収納容器１０は、収納口６から底部１１側に向かって、蓋体８の後述する筒壁部の内面に設けられた突部の移動を妨げないようにするための切り欠き部１２が形成されている。
【００２６】
次に、蓋体８について説明すると、本例の蓋体８は、筒状収納容器１０の収納口６を閉じる天板部１３と筒状収納容器１０の外周に嵌合する筒壁部１４とで構成されている。
筒壁部１４の内面には、蓋体８による筒状収納容器１０の閉じ動作時に、筒状収納容器１０内に収納されている液体内容器５の上部外周に設けられた後述する突状段部を乗り越え、筒状収納容器１０からの蓋体８の外し動作時に、突状段部の下側に掛止する突部１５が設けられている。突部１５は、筒壁部１４の内面に周方向に間欠的に設けられており、蓋体８の筒壁部１４を筒状収納容器１０の外周に嵌合したとき、筒状収納容器１０に形成されている切り欠き部１２内に入る位置に設けられている。突部１５の突出高さは、蓋体８の筒壁部１４を筒状収納容器１０の外周に嵌合したとき、筒状収納容器１０内へ突出しない高さであることが好ましい。
【００２７】
蓋体８に設けられている注出ポンプ９は、筒状シリンダ部１６と、筒状シリンダ部１６の上部に設けられ、筒状シリンダ部１６内に摺動自在に嵌合するピストンの操作部を兼ねる注出ノズル１７と、筒状シリンダ部１６の下部に設けられた吸い込み管１８で構成されている。筒状シリンダ部１６は蓋体８の天板部１３に貫通して固定され、天板部１３の上面側に注出ノズル１７が配置され、天板部１３の下面側に吸い込み管１８が配置されている。
そして、筒状収納容器１０の外周に蓋体８の筒壁部１４を嵌合して筒状収納容器１０の収納口６を閉じたとき、蓋体８の天板部１３の下面側に配置されている吸い込み管１８が筒状収納容器１０内に収納されている液体内容器５の上面部２に有するフィルム３破断して吸い出し口４から液体内容器５内へ挿入されるようになっている。
【００２８】
次に、液体内容器５について説明すると、本例の液体内容器５は、胴部１９の断面形状が略正方形となっており、筒状収納容器１０内に隙間が殆どない状態に納まる形状となっている。液体内容器５の胴部１９の上部外周には突状段部２０が設けられている。突状段部２０の突出高さは、液体内容器５を筒状収納容器１０内に収納したとき、筒状収納容器１０の外へ突出しない高さであることが好ましい。
液体内容器５の胴部１９の上部外周に設けられている突状段部２０は、本例では、胴部１９の外周面に設けられ、且つ、液体内容器５を筒状収納容器１０に収納した状態で筒状収納容器１０に形成された切り欠き部１２から露出する位置に設けられている。
【００２９】
本例の液体内容器５は、両面に熱可塑性樹脂を積層した紙素材からなり、胴部縦折線２１，２２，２３を介して４つの胴部パネル１４，２５，２６，２７を備え、胴部パネル２７にシール縦折線２８を介して連設した縦方向シールパネル２９によって胴部パネル２４の縁部が接合されて四角の筒状に形成された胴部１９を有している。
【００３０】
液体内容器５の上面部２にあっては次のように構成されている。
胴部パネル２４，２６の上端に、頂部横折線３０，３１を介して互いに対向し上下に重ねられる一対の上面部形成パネル３２，３３が連設され、そして、上面部形成パネル３２の下側に重なる上面部形成パネル３３の上端には、上面部形成パネル３２の内面にシールされるシールパネル３４が連設されている。
【００３１】
また、胴部パネル２５，２７の上端に、前記した一対の上面部形成パネル３２，３３の間に位置して互いに対向し、一対の上面部形成パネル３２，３３の重ね合わせに伴って折り畳まれる一対の側面パネル３５，３６が、頂部横折線３７，３８を介して連設されている。
【００３２】
また、上面部形成パネル３２，３３には、それぞれの中央に位置して吸い出し口４となる穴３９ａ，３９ｂが形成されており、穴３９ａ，３９ｂは上面部形成パネル３２，３３を重ねたとき穴３９ａと穴３９ｂの中心が一致するように開口している。そして、上面部形成パネル３３の裏面には、フィルム３が穴３９ｂを塞ぐように設けられており、注出ポンプ９の吸い込み管１８を突き刺すことにより破断できるようになっている。
【００３３】
上面部形成パネル３２，３３と側面パネル３５，３６とによる液体内容器５の上面部２の形成にあっては、胴部１９を形成した後、先ず、上面部形成パネル３３を内側へ折り、これに伴うように、側面パネル３５，３６を三角形状に内面側へ折り畳み、胴部１９の上側収納口を上面部形成パネル３３で塞ぐ。そして、上面部形成パネル３３の上端に連設されているシールパネル３４を上面部形成パネル３２の内面にＳ１の範囲でシールするとともに、上面部形成パネル３３の両側縁を三角形状に折り畳んだ側面パネル３５，３６をＳ２の範囲でシールする（図５参照。）。
【００３４】
次に、側面パネル３５，３６を外側（図５で示す矢印方向。）に折り畳むようにして上面部形成パネル３２を上面部形成パネル３３の上に重ね（図６参照。）、折り畳まれて胴部１９の外側へ突出した側面パネル３５，３６を下方（図６で示す矢印方向。）へ折り、胴部１９へ接着等により固定して上面部２が形成される。
このようにして胴部１９へ固定された側面パネル３５，３６が、液体内容器５の胴部１９の外周面に設けられた突状段部２０を構成している。
【００３５】
また、液体内容器５の底面部４０にあっては、本例では次のように構成されている。
胴部パネル２４，２６の下端に、底部横折線４１，４２を介して互いに対向する一対の切妻屋根形底面形成パネル４３，４４が連設されている。切妻屋根形底面形成パネル４３，４４の下部には帯状の外側シールパネル４５，４６が連設されている。
また、胴部パネル２５，２７の下端に、底部横折線４７，４８を介して互いに対向する一対の妻壁形底面形成パネル４９，５０が連設されている。妻壁形底面形成パネル４９，５０の下部には外側シールパネル４５，４６よりも低い高さの帯状の内側シールパネル５１，５２が連設されている。
【００３６】
そして、切妻屋根形底面形成パネル４３，４４と妻壁形底面形成パネル４９，５０とによる底面部４０の形成にあっては、切妻屋根形底面形成パネル４３，４４間に妻壁形底面形成パネル４９，５０が折り込まれて、対向する外側シールパネル４５，４６の対向面同士がシールされるとともに、外側シールパネル４５，４６と内側シールパネル５１，５２との対向面同士および内側シールパネル５１，５２の対向面同士もまたシールされ、いわゆる逆ゲーブルトップ形の下向き四角錐形に形成されている（図２、図３参照。）。
【００３７】
このように構成された詰め替え容器１における液状内容物の詰め替えは次のように行われる。
詰め替え容器１における液状内容物の詰め替え作業は、詰め替え容器１における収納体３となる筒状収納容器１０への液体内容器５の収納作業と、筒状収納容器１０へ収納した液体内容器５を筒状収納容器１０から取り出す作業に分かれる。
【００３８】
筒状収納容器１０への液体内容器５の収納作業にあっては、先ず、筒状収納容器１０へ液体内容器５を収納する。筒状収納容器１０へ収納された液体内容器５の胴部１９の外周面に設けられている突状段部２０は、筒状収納容器１０に形成された切り欠き部１２から露出した状態となる（図７参照）。
【００３９】
次に、液体内容器５を収納した筒状収納容器１０の外周に蓋体８の筒壁部１４を嵌合し、筒状収納容器１０の収納口２を閉じる。
筒状収納容器１０の収納口２を閉じる過程で、筒状収納容器１０の外周に嵌合する蓋体８の筒壁部１４の内面に設けられている突部１５が筒状収納容器１０に形成されている切り欠き部１２内に露出している突状段部２０に当接するが、蓋体８の筒壁部１４を押し下げることにより、突部１５の押圧により液体内容器５の突状段部２０が弾性変形し、突部１５は変形した突状段部２０を乗り越え切り欠き部１２内を移動する。
【００４０】
同じく、筒状収納容器１０の収納口２を閉じる過程で、蓋体８の天板部１３の下面側に配置されている吸い込み管１８が筒状収納容器１０内に収納されている液体内容器５の上面部２に有するフィルム３を破断して吸い出し口４から液体内容器５内へ挿入される。
さらに、筒状収納容器１０の外周に嵌合した蓋体８の筒壁部１４を筒状収納容器１０の外周に沿って押し下げることにより、筒状収納容器１０の収納口２が蓋体８で閉じられ、筒状収納容器１０への液体内容器５の収納作業が完了する（図８参照。）。
【００４１】
筒状収納容器１０へ収納した液体内容器５内の液状内容物を消尽したら、筒状収納容器１０から蓋体４を外し、筒状収納容器１０から液状内容物を消尽した液体内容器５を取り出す。
この筒状収納容器１０から液体内容器５を取り出す作業にあっては、蓋体８を引き上げ筒状収納容器１０の収納口２を開ける過程で、蓋体８の筒壁部１４の内面に設けられている突部１５が液体内容器５の突状段部２０の下側に掛止し（図９参照。）、液体内容器５は蓋体８と一体となって筒状収納容器１０内から取り出される。
このようにして、筒状収納容器１０へ収納した液体内容器５の取り出し作業は完了する（図１０参照。）。
【００４２】
図１１乃至図１６は本発明に係る詰め替え容器の実施の形態の第２例を示し、図１１は本例の詰め替え容器の分解断面図、図１２は図１１に示す詰め替え容器における液体内容器を示す平面図、図１３は図１１に示す詰め替え容器における収納体へ図１２に示す液体内容器を収納する工程を示す断面図、図１４は図１１に示す詰め替え容器における収納体へ図１２に示す液体内容器を収納した状態を示す断面図、図１５は図１１に示す詰め替え容器における収納体から図１２に示す液体内容器の取り出し工程を示す断面図、図１６は図１１に示す詰め替え容器における収納体から図１２に示す液体内容器を取り出した状態を示す断面図である。
【００４３】
本例の詰め替え容器１は、第１例の詰め替え容器１と基本構成において変わるところはなく、第１例と同一の構成については同一の符号を付して説明する。
本例と第１例との違いは液体内容器５の形状であり、本例の液体内容器５は胴部１９の断面形状が略円形となっているところである。
本例の収納体７は、第１例と同様に、上部に収納口６を開口する筒状収納容器１０となっているが、胴部断面形状は液体内容器５の外形に合わせて円筒状に形成されている。また、蓋体８の形状も筒壁部１２が収納体７の外周に嵌合する円筒状となっている。その他の構成にあっては第１例と同一である。
【００４４】
本例の液体内容器５は、その胴部断面形状が円筒状に形成されており、収納体７となる筒状収納容器１０内に隙間が殆どない状態に納まる形状となっている。
本例では、液体内容器５は、少なくとも内面に熱可塑性樹脂層を有する紙素材で形成されており、矩形状の紙素材の両側縁部が接合されて円筒状に形成された胴部１９を有している。
【００４５】
液体内容器５の胴部１９の外周面には突状段部２０が設けられている。胴部１９の上部外周面に設けられている突状段部２０は、液体内容器５を筒状収納容器１０に収納した状態で、筒状収納容器１０に形成された切り欠き部１２から露出する位置に設けられている。
突状段部２０の突出高さは、第１例と同様に、液体内容器５を筒状収納容器１０内に収納したとき、筒状収納容器１０の外へ突出しない高さであることが好ましい。
液体内容器５の胴部１９の外周面に設けられている突状段部２０は、押し型により紙素材に形成されている。
【００４６】
胴部１９の上側開口部には上面部２となる天板５３設けられている。この天板５３には、中央に位置して吸い出し口４となる穴５４が形成されており、天板５３の裏面には、フィルム３が穴５３を塞ぐように設けられており、注出ポンプ９の吸い込み管１８を突き刺すことにより破断できるようになっている。
また、胴部１９の下側開口部には底板５５が設けられている。
【００４７】
このように構成された詰め替え容器１における液状内容物の詰め替えは、第１例と同様に行われる。
【００４８】
筒状収納容器１０への液体内容器５の収納作業にあっては、先ず、筒状収納容器１０へ液体内容器５を収納する。筒状収納容器１０へ収納された液体内容器５の胴部１９の外周面に設けられている突状段部２０は、筒状収納容器１０に形成された切り欠き部１２から露出した状態となる（図１３参照。）。
【００４９】
次に、液体内容器５を収納した筒状収納容器１０の外周に蓋体８の筒壁部１４を嵌合し、筒状収納容器１０の収納口２を閉じる。
筒状収納容器１０の収納口２を閉じる過程で、筒状収納容器１０の外周に嵌合する蓋体８の筒壁部１４の内面に設けられている突部１５が筒状収納容器１０に形成されている切り欠き部１２内に露出している突状段部２０に当接し、第１例と同様に、突状段部２０を弾性変形させて突状段部２０を乗り越え切り欠き部１２内を移動する。
【００５０】
同じく、筒状収納容器１０の収納口２を閉じる過程で、蓋体８の天板部１３の下面側に配置されている吸い込み管１８が筒状収納容器１０内に収納されている液体内容器５の上面部２に有するフィルム３を破断して吸い出し口４から液体内容器５内へ挿入される。
さらに、蓋体８の筒壁部１４を筒状収納容器１０の外周に沿って押し下げることにより、筒状収納容器１０の収納口２が蓋体８で閉じられる（図１４参照。）。
【００５１】
筒状収納容器１０へ収納した液体内容器５内の液状内容物を消尽したら、筒状収納容器１０から蓋体８を外し、筒状収納容器１０から液体内容器５を取り出す。
筒状収納容器１０から液体内容器５を取り出す作業にあっては、第１例と同様に、蓋体８を引き上げ筒状収納容器１０の収納口２を開ける過程で、蓋体８の筒壁部１４の内面に設けられている突部１５が液体内容器５の突状段部２０の下側に掛止し（図１５参照。）、液体内容器５は蓋体８と一体となって筒状収納容器１０内から取り出される（図１６参照。）。
【００５２】
図１７乃至図２１は本発明に係る詰め替え容器の実施の形態の第３例を示し、図１７は本例の詰め替え容器の分解断面図、図１８は図１７に示す詰め替え容器における収納体と蓋体を示す一部切り欠き斜視図、図１９は図１７示す詰め替え容器における収納体へ図２に示す液体内容器を収納する工程を示す断面図、図２０は図１７に示す詰め替え容器における収納体へ図２に示す液体内容器を収納した状態を示す断面図、図２１は図１７に示す詰め替え容器における収納体から図２に示す液体内容器を取り出した状態を示す断面図である。
【００５３】
本例の詰め替え容器１は、第１例の詰め替え容器１と基本構成において変わるところはなく、第１例と同一の構成については同一の符号を付して説明する。
本例と第１例との違いは、液体内容器５を収納する収納体７であり、その他の構成にあっては第１例と同一である。
【００５４】
本例の収納体７は、支持台部５６と、支持台部５６の上面に液体内容器５の胴部１９の外面に沿う複数の支持片５７を間隔を空けて立設した支持枠部５８からなり、支持枠部５８の内部に液体内容器５を収納するようになっている。
本例の液体内容器５は、第１例の液体内容器５と同一の構成となっており、支持台部５６の上面に立設された支持片５７にあっては、断面形状が略正方形の胴部１９を有する液体内容器５の角部に対応して４本の支持片５７が立設されており、各支持片５７は、液体内容器５の角部の両面側を支えるアングル内面を有している。そして、４本の支持片５７で構成される支持枠部５８の上部に形成される収納口６から支持枠部５８内に液体内容器５を挿入したとき、液体内容器５の各角部は各支持片５７のアングル内面に隙間が殆どない状態に納まるようになっている。
また、支持台部５６の上面に立設された支持片５７の高さは、支持枠部５８内に挿入した液体内容器５を安定して支えられる高さであれば特に限定されない。
【００５５】
また、蓋体８の筒壁部１４の内面に設けられた突部１５は、本例では、筒壁部１４の軸方向に線状に設けられており、かつ、突部１５は、蓋体８で収納体７を閉じたとき、収納体７となる支持枠部５８の支持片５７の間に位置するように設けられている。
【００５６】
また、液体内容器５における胴部１９の外周面に設けられている突状段部２０は、本例では、液体内容器５を収納体７となる支持枠部５８に収納したとき、支持枠部５８の収納口６より上方に位置するように設けられているが、液体内容器５における胴部１９の外周面に設けられている突状段部２０が支持枠部５８の収納口６より下方に位置するように設けられる場合は、支持片５７の間に位置するように設ける。
【００５７】
このように構成された詰め替え容器１における液状内容物の詰め替えは、第１例と同様に行われる。
【００５８】
収納体７への液体内容器５の収納作業にあっては、先ず、収納体７となる支持枠部５８へ液体内容器５を収納する。支持枠部５８へ収納された液体内容器５の胴部１９の外周面に設けられている突状段部２０は、支持枠部５８の収納口６より上方に露出した状態となる（図１９参照。）。また、液体内容器５における胴部１９の外周面に設けられている突状段部２０が支持枠部５８の収納口６より下方に位置するように設けられる場合は、支持片５７の間から露出した状態となる（図示せず。）。
【００５９】
次に、液体内容器５を収納した支持枠部５８の外周に蓋体８の筒壁部１４を嵌合し、支持枠部５８の収納口２を閉じる。
支持枠部５８の収納口２を閉じる過程で、蓋体８の筒壁部１４の内面に設けられている線状の突部１５が支持枠部５８から露出している筒状収納容器１０の突状段部２０に当接し、第１例と同様に、突状段部２０を弾性変形させて突状段部２０を乗り越えて移動し、さらに、線状の突部１５の前進側端部が支持枠部５８の支持片５７の間を移動する。
【００６０】
同じく、支持枠部５８の収納口２を閉じる過程で、蓋体８の天板部１３の下面側に配置されている吸い込み管１８が支持枠部５８内に収納されている液体内容器５の上面部２に有するフィルム３を破断して吸い出し口４から液体内容器５内へ挿入される。
さらに、蓋体８の筒壁部１４を支持枠部５８の外周に沿って押し下げることにより、支持枠部５８の収納口２が蓋体８で閉じられる（図２０参照。）。
【００６１】
支持枠部５８へ収納した液体内容器５内の液状内容物を消尽したら、支持枠部５８から蓋体８を外し、支持枠部５８から液体内容器５を取り出す。
支持枠部５８から液体内容器５を取り出す作業にあっては、第１例と同様に、蓋体８を引き上げ支持枠部５８の収納口２を開ける過程で、蓋体８の筒壁部１４の内面に設けられている突部１５が液体内容器５の突状段部２０の下側に掛止し、液体内容器５は蓋体８と一体となって支持枠部５８内から取り出される（図２１参照。）。
【符号の説明】
【００６２】
１  詰め替え容器
２  上面部
３  フィルム
４  吸い出し口
５  液体内容器
６  収納口
７  収納体
８  蓋体
９  注出ポンプ
１０  筒状収納容器
１１  底部
１２  切り欠き部
１３  天板部
１４  筒壁部
１５  突部
１６  筒状シリンダ部
１７  注出ノズル
１８  吸い込み管
１９  胴部
２０  突状段部
２１，２２，２３  胴部縦折線
２４，２５，２６，２７  胴部パネル
２８  シール縦折線
２９  縦方向シールパネル
３０，３１  頂部横折線
３２，３３  上面部形成パネル
３４  シールパネル
３５，３６  側面パネル
３７，３８  頂部横折線
３９ａ，３９ｂ  穴
４０  底面部
４１，４２  底部横折線
４３，４４  切妻屋根形底面形成パネル
４５，４６  外側シールパネル
４７，４８  底部横折線
４９，５０  妻壁形底面形成パネル
５１，５２  内側シールパネル
５３  天板
５４  穴
５５  底板
５６  支持台部
５７  支持片
５８  支持枠部
【図１】
2018052611.tif 000003
【図２】
2018052611.tif 000004
【図３】
2018052611.tif 000005
【図４】
2018052611.tif 000006
【図５】
2018052611.tif 000007
【図６】
2018052611.tif 000008
【図７】
2018052611.tif 000009
【図８】
2018052611.tif 000010
【図９】
2018052611.tif 000011
【図１０】
2018052611.tif 000012
【図１１】
2018052611.tif 000013
【図１２】
2018052611.tif 000014
【図１３】
2018052611.tif 000015
【図１４】
2018052611.tif 000016
【図１５】
2018052611.tif 000017
【図１６】
2018052611.tif 000018
【図１７】
2018052611.tif 000019
【図１８】
2018052611.tif 000020
【図１９】
2018052611.tif 000021
【図２０】
2018052611.tif 000022
【図２１】
2018052611.tif 000023